(57)【要約】【課題】  空気膜を利用したエアードームに最適なトラス構造体により構成したドーム状構造物およびその骨組みを実現する。【解決手段】  折り曲げ可能な薄板を少なくとも表面層Ａ、中間層Ｂ、裏面層Ｃの３層に積層したトラス部材２により三角トラスを構成し、端部において中間層Ｂに対し表面層Ａ、中間層Ｂを後退させたり、張り出させたりすることにより、折り曲げ可能な接合代Ａ１、Ｃ２と、他のトラス部材の接合代を重ね合せて接合するための接合段差面Ｂ１、Ｂ２を得、トラス部材２同士を接合して三角トラスＴを組み立てるに際し、トラス部材の接合段差面Ｂ１、Ｂ２に他のトラス部材の接合代Ａ１、Ｃ２を重ね合せて接合する。【選択図】      図１３
2016180203.tif 000002
【特許請求の範囲】
【請求項１】
ドーム状のスクリーンを支持するために、トラス構造体により構成したドーム状構造物の骨組みにおいて、
折り曲げ可能な薄板を少なくとも表面層（Ａ）、中間層（Ｂ）、裏面層（Ｃ）の３層に積層したトラス部材（２）により各三角トラス（Ｔ）の各辺を構成し、
トラス部材（２）の長手方向一端において、中間層（Ｂ）より表面層（Ａ）を長手方向に張り出させることにより、上記張り出し部分を折り曲げ可能な接合代（Ａ１）とするとともに、中間層（Ｂ）より裏面層（Ｃ）を長手方向に後退させることにより、上記後退により生じた段差した面を他のトラス部材の接合代を重ね合せて接合するための接合段差面（Ｂ１）とし、
トラス部材（２）の長手方向他端において、中間層（Ｂ）より表面層（Ａ）を長手方向に後退させることにより、上記後退により生じた段差した面を他のトラス部材の接合代を重ね合せて接合するための接合段差面（Ｂ２）ととするとともに、中間層（Ｂ）より裏面層（Ｃ）を長手方向に張り出させることにより、上記張り出し部分を折り曲げ可能な接合代（Ｃ２）とし、
トラス部材（２）同士を接合して三角トラス（Ｔ）を組み立てるに際し、トラス部材の接合段差面（Ｂ１、Ｂ２）に他のトラス部材の接合代（Ａ１、Ｃ２）を重ね合せて接合することを特徴とするドーム状構造物の骨組み。
【請求項２】
ドーム骨組を赤道上で２分割した半球状とするとともに、各三角トラス（Ｔ）中の倒立したものの下側の頂点が赤道上に位置するようにトラス構造を設定し、
赤道箇所に位置する環状の赤道台座（５）上に、上記三角トラス（Ｔ）の一方の斜辺を構成するトラス部材（２）の接合代（Ａ１）を重ね合せて接合するための接合段差面（Ｄ２）と、他方の斜辺を構成するトラス部材の接合段差面（Ｂ１）に重ね合せて接合するための接合代（Ｄ１）を設けた請求項１記載のドーム状構造物の骨組み。
【請求項３】
折り曲げ可能な薄板を少なくとも表面層（Ｄ）、中間層（Ｅ）、裏面層（Ｆ）の３層に積層した弧状の赤道部材（６）同士を接合することにより環状の赤道台座（５）を構成し、
赤道部材（６）の長手方向一端において、表面層（Ｄ）および中間層（Ｅ）より裏面層（Ｆ）を長手方向に張り出させるとともに、長手方向他端において、表面層（Ｄ）および中間層（Ｅ）より裏面層（Ｆ）を長手方向に後退させることにより互いの段差面を隣り合う赤道部材同士の接合時の相欠き部（Ｆ１、Ｆ２）とし、
表面層（Ｄ）を中途において分割するとともに、分割箇所において一方の表面層（Ｄ）の先端を中間層（Ｅ）に対し非接着箇所とすることにより、上方に折り曲げ可能な接合代（Ｄ１）と、接合代の折り曲げ時に生じる接合段差面（Ｄ２）とし、
上記の接合代（Ｄ１）を赤道台座（５）上に接合される三角トラス（Ｔ）の一方の斜辺を構成するトラス部材（２）の接合段差面（Ｂ１）に接合するとともに、接合段差面（Ｄ２）を他方の斜辺を構成するトラス部材（２）の接合代（Ａ１）に接合する請求項１または２記載のドーム状構造物の骨組み。
【請求項４】
折り曲げ可能な薄板を各頂点箇所に接合平坦部（２１）を設けた三角形状に折り曲げて補強部材（２０）を構成し、上記補強部材（２０）の各接合平坦部（２１）を各三角トラス（Ｔ）に内設して接合する請求項１から３の何れかに記載のドーム状構造物の骨組み。
【請求項５】
トラス部材（２）に使用する折り曲げ可能な薄板、赤道部材（６）に使用する折り曲げ可能な薄板、補強部材（２０）に使用する折り曲げ可能な薄板を段ボール製とした請求項１から４の何れかに記載のドーム状構造物の骨組み。
【請求項６】
各部材の接合箇所において部材同士をネジ止めすることにより接合固定した請求項１から５の何れかに記載のドーム状構造物の骨組み。
【請求項７】
請求項１から６の何れかに記載のドーム状構造物の骨組み（１）と、上記のドーム状構造物の骨組みに支持されることによりエアードームを構成するドーム状の空気膜（Ｍ）と、上記のエアードームを設置面に対し所要高さ持ち上げるとともに、エアードームの下端と設置面との間の開放部を覆う手段からなる空気膜を利用したドーム状構造物。
【請求項８】
構造物ユニット（１１）を複数用意し、これらの構造物ユニット（１１）をエアードームの下方に円周状に配して接合して環状構造物（１０）とすることにより、エアードームを設置面に対し所要高さ持ち上げるとともに、エアードームの下端と設置面との間の開放部を覆う手段とした請求項７記載の空気膜を利用したドーム状構造物。
【請求項９】
空気膜（Ｍ）は、皮膜（Ｍ１）と（Ｍ２）間の空気を陰圧又は陽圧に保つことによりドーム形状に保形する、二重空気膜構造からなるエアードームスクリーンである請求項７または８のいずれかに記載の空気膜を利用したドーム状構造物。
【発明の詳細な説明】
【技術分野】
【０００１】
この発明はプロジェクターによる各種の映像やプラネタリウム投映機による星空を投映するためのドーム状のスクリーンを備えたドーム状構造物およびその骨組みに関し、特に空気膜を利用したエアードームに最適なドーム状構造物およびその骨組みに関する。
【背景技術】
【０００２】
全天全周映画の投映やプラネタリウム投映機による星空の投映に際しては内部を上映空間としたドームが使用され、映像はドーム内面のスクリーン面に投映される。この場合、ドームは建造物として位置付けられ、その設置には建築工事が必要であった。すなわち、この場合には基礎上にドームの骨組みを構築し、そこに外屋根及びスクリーンを設けるという大がかりな工程を要した。
【０００３】
一方、恒久的に設置される映像施設ではなく、イベントにおいて短期的に設置される映像施設や、各地を移動する巡回映像施設においては、組み立て分解を反復して行なうことが可能な簡易な工法で施行されることが要求された。そのため、ドーム状に構成した空気膜に覆われるドーム空間内に送風することによりドーム形状に保形するエアードーム（例えば、特許文献１）や、内側皮膜と外側皮膜間の空気を陰圧又は陽圧に保つことによりドーム形状に保形する二重空気膜構造からなるエアードームが用いられていた（例えば、特許文献２〜４）。
【０００４】
前記の従来技術において後者の場合、空気膜はドーム骨組みに支持されるものであり、ドーム状構造物の施行にあたっては先ずドーム骨組みを施行することが必要となった。この発明のドーム状構造物は従来技術中の後者に属する。
【０００５】
ドーム骨組みとしては、各頂点が球面に内設する多数の三角トラスを組み合わせたトラス構造体により構成したものがある（特許文献６、７）。前記のトラス構造体により構成したドーム骨組みは使用する部材の種類が少なくて済み、必要な強度も得られ、しかも三角トラスの数を増やすことによりより滑らかな球面を得られるので理想的な構造であり、トラス部材により各三角トラスの各辺を構成し、これらのトラス部材同士を接合することによりドーム骨組みを組み立てていた。
【先行技術文献】
【特許文献】
【０００６】
【特許文献１】特開２００４- ２５０９０９号公報
【特許文献２】実願昭５８年１２６８０７号の願書に添付した明細書及び図面の内容を撮影したマイクロフイルム
【特許文献３】特公平６−２５４８９号公報
【特許文献４】特許第３２７０３６６号公報
【特許文献５】特開平６−２２９０５７号公報
【特許文献６】特開平８−６０７８９号公報
【特許文献７】特開２００７- ２９１７３０号公報
【特許文献８】特開２０１２- ２２４９９２号公報
【特許文献９】特開２００７- ３０８９５６号公報
【発明の概要】
【発明が解決しようとする課題】
【０００７】
しかしながら、前記のトラス構造体により構成したドーム骨組みは、強度を得るために三角トラスの各辺を構成するトラス部材は金属等の剛性に富む素材により構成され、また、トラス部材同士を接合するためのジョイントなどの連結部材を別途要した。
【０００８】
そのため、素材自体が高価であることに加え、部品点数も多くなるのでコストや組み立て手間が嵩み、さらに重量が嵩む問題も生じた。このうち、製造手間と重量の問題は、恒久的に設置する映像施設ならともかく、組み立て分解を反復して行なうことが可能な簡易な工法で施行することが要求されるイベントにおいて短期的に設置される映像施設や、各地を移動する巡回映像施設におけるネックとなった。
【０００９】
また、前記したように、三角トラスの数を増やすことによりより滑らかな球面を得られるのでドーム状のスクリーンを支持することを想定した場合に非常に有利ではあるが、反面、三角トラスの数を増やすことはコストや組み立て手間が嵩み、さらに重量が嵩む問題を孕んでおり、これらを解決しなければならなかった。
【課題を解決するための手段】
【００１０】
この発明は、以上の問題点に鑑み創作されたものであり、安価な素材で構成でき、しかも部品点数を少なくするとともに、組み立て手間を簡素化し、重量も軽減した空気膜を利用したドーム状構造物および、その骨組みを提供することを目的とする。
【００１１】
すなわち、この発明のドーム状構造物の骨組みは、
ドーム状のスクリーンを支持するために、トラス構造体により構成したドーム状構造物の骨組みにおいて、
折り曲げ可能な薄板を少なくとも表面層Ａ、中間層Ｂ、裏面層Ｃの３層に積層したトラス部材２により各三角トラスＴの各辺を構成し、
トラス部材２の長手方向一端において、中間層Ｂより表面層Ａを長手方向に張り出させることにより、上記張り出し部分を折り曲げ可能な接合代Ａ１とするとともに、中間層Ｂより裏面層Ｃを長手方向に後退させることにより、上記後退により生じた段差した面を他のトラス部材の接合代を重ね合せて接合するための接合段差面Ｂ１とし、
トラス部材２の長手方向他端において、中間層Ｂより表面層Ａを長手方向に後退させることにより、上記後退により生じた段差した面を他のトラス部材の接合代を重ね合せて接合するための接合段差面Ｂ２ととするとともに、中間層Ｂより裏面層Ｃを長手方向に張り出させることにより、上記張り出し部分を折り曲げ可能な接合代Ｃ２とし、
トラス部材２同士を接合して三角トラスＴを組み立てるに際し、トラス部材の接合段差面Ｂ１、Ｂ２に他のトラス部材の接合代Ａ１、Ｃ２を重ね合せて接合することを特徴とする。
【００１２】
また、請求項２記載の発明は、前記のドーム状構造物の骨組みにおいて、
ドーム骨組を赤道上で２分割した半球状とするとともに、各三角トラスＴ中の倒立したものの下側の頂点が赤道上に位置するようにトラス構造を設定し、
赤道箇所に位置する環状の赤道台座５上に、上記三角トラスＴの一方の斜辺を構成するトラス部材２の接合代Ａ１を重ね合せて接合するための接合段差面Ｄ２と、他方の斜辺を構成するトラス部材の接合段差面Ｂ１に重ね合せて接合するための接合代Ａ１を設けたことを特徴とする。
【００１３】
また、請求項３記載の発明は、前記のドーム状構造物の骨組みにおいて、
折り曲げ可能な薄板を少なくとも表面層Ｄ、中間層Ｅ、裏面層Ｆの３層に積層した弧状の赤道部材６同士を接合することにより環状の赤道台座５を構成し、
赤道部材６の長手方向一端において、表面層Ｄおよび中間層Ｅより裏面層Ｆを長手方向に張り出させるとともに、長手方向他端において、表面層Ｄおよび中間層Ｅより裏面層Ｆを長手方向に後退させることにより互いの段差面を隣り合う赤道部材同士の接合時の相欠き部Ｆ１、Ｆ２とし、
表面層Ｄを中途において分割するとともに、分割箇所において一方の表面層Ｄの先端を中間層Ｅに対し非接着箇所とすることにより、上方に折り曲げ可能な接合代Ｄ１と、接合代の折り曲げ時に生じる接合段差面Ｄ２とし、
上記の接合代Ｄ１を赤道台座５上に接合される三角トラスＴの一方の斜辺を構成するトラス部材２の接合段差面Ｂ１に接合するとともに、接合段差面Ｄ２を他方の斜辺を構成するトラス部材２の接合代Ｄ１に接合することを特徴とする。
【００１４】
また、請求項４記載の発明は、前記のドーム状構造物の骨組みにおいて、
折り曲げ可能な薄板を各頂点箇所に接合平坦部２１を設けた三角形状に折り曲げて補強部材２０を構成し、上記補強部材２０の各接合平坦部２１を各三角トラスＴに内設して接合することを特徴とする。
【００１５】
また、請求項５記載の発明は、前記のドーム状構造物の骨組みにおいて、
トラス部材２に使用する折り曲げ可能な薄板、赤道部材６に使用する折り曲げ可能な薄板、補強部材２０に使用する折り曲げ可能な薄板を段ボール製としたことを特徴とする。
【００１６】
また、請求項６記載の発明は、前記のドーム状構造物の骨組みにおいて、
各部材の接合箇所において部材同士をネジ止めすることにより接合固定したことを特徴とする。
【００１７】
また、この発明の空気膜を利用したドーム状構造物は、
前記のドーム状構造物の骨組み１と、上記のドーム状構造物の骨組みに支持されることによりエアードームを構成するドーム状の空気膜Ｍと、上記のエアードームを設置面に対し所要高さ持ち上げるとともに、エアードームの下端と設置面との間の開放部を覆う手段からなることを特徴とする。
【００１８】
また、請求項８記載の発明は、前記の空気膜を利用したドーム状構造物において、
構造物ユニット１１を複数用意し、これらの構造物ユニット１１をエアードームの下方に円周状に配して接合して環状構造物１０とすることにより、エアードームを設置面に対し所要高さ持ち上げるとともに、エアードームの下端と設置面との間の開放部を覆う手段としたことを特徴とする。
【００１９】
また、請求項９記載の発明は、前記の空気膜を利用したドーム状構造物において、
空気膜Ｍは、皮膜Ｍ１とＭ２間の空気を陰圧又は陽圧に保つことによりドーム形状に保形する、二重空気膜構造からなるエアードームスクリーンであることを特徴とする。
【発明の効果】
【００２０】
この発明のドーム状構造物の骨組みの第一の特徴は、三角トラスの各辺を構成するトラス部材２を、折曲げ可能な薄板で構成している点にある。この発明では具体的にはそのような素材として段ボールを想定している。段ボールは加工性に優れ、低コストで入手でき、しかも金属に比べ軽量である。
【００２１】
段ボールをドーム状構造物を構成する素材として使用した試みは過去に存する（特許文献８、９）。しかしながら、これらは、構造物を構成するパネルに段ボールを使用するものであり、この発明のように骨組みに使用した例は存しない。骨組みに使用しない理由は段ボールでは十分な強度を得られないからである。
【００２２】
この発明のドーム状構造物の骨組みの第二の特徴は、薄板を少なくとも表面層Ａ、中間層Ｂ、裏面層Ｃの３層に積層し、単に積層するだけではなく、端部において中間層Ｂに対し表面層Ａ、中間層Ｂを後退させたり、張り出させたりすることにより、折り曲げ可能な接合代Ａ１、Ｃ２と、他のトラス部材の接合代を重ね合せて接合するための接合段差面Ｂ１、Ｂ２を得ている点にある。
【００２３】
これにより、積層により強度が増すだけでなく、トラス部材２同士を接合して三角トラスＴを組み立てるに際し、トラス部材の接合段差面Ｂ１、Ｂ２に他のトラス部材の接合代Ａ１、Ｃ２を重ね合せて接合することが可能となり、この接合状態で固定することにより互いに部材同士が接合箇所で噛み合った強固なる三角トラスとなり、段ボールなどの強度が弱い素材を使用しても十分な強度を得ることができる。
【００２４】
よって、この発明のドーム状構造物の骨組みによれば次の特有の効果が奏される。
(1) トラス部材自体が接合代および接合段差面を具有するので、トラス部材同士を接合するためのジョイントなどの連結部材が不要となる。
(2) 加工性に優れ、低コストで入手でき、重量が軽い段ボールを使用でき、しかも前記のようにジョイントなどの部材が不要となるので、製造および組み立て手間が少なくて済むとともに軽量となり、組み立て分解を反復して行なうことが可能な簡易な工法で施行することが要求されるイベントにおいて短期的に設置される映像施設や、各地を移動する巡回映像施設に最適なドーム状構造物の骨組みが実現できる。
(3) 低コストで製造でき、組み立て手間も少なくて済み、しかも軽量なので、三角トラスの数を増やしても、コスト面、組み立て手間面、重量面での問題が生じにくく、より球面に近いドーム状構造物の骨組みが実現できる。
【００２５】
また、請求項２、3 記載の発明によれば、折り曲げ可能な薄板を少なくとも表面層Ｄ、中間層Ｅ、裏面層Ｆの３層に積層した弧状の赤道部材６同士を接合することにより環状の赤道台座５を構成し、端部において表面層Ｄおよび中間層Ｅより裏面層Ｆを後退させたり、張り出させたりすることにより、隣り合う赤道部材同士の接合時の相欠き部Ｆ１、Ｆ２を得るとともに、表面層Ｄにおいて赤道台座５上に接合される三角トラスＴのトラス部材２の接合段差面Ｂ１に接合される接合代Ｄ１と、同じく、トラス部材２の接合代Ａ１に接合される接合段差面Ｄ２を得るので、互いに部材同士が接合箇所で噛み合った強固な構造となり、ドーム状構造物の全てを段ボールで構成することが可能となる。
【００２６】
また、請求項６記載の発明によれば、各部材の接合箇所において固定手段を部材同士のネジ止めによっているので、組み立て分解を反復して行なうことが容易になる。
【００２７】
次に、この発明の空気膜を利用したドーム状構造物は前記のドーム状構造物の骨組みを採用しているので、空気膜自体は折り畳むことができるので、骨組みを分解状態で収容、搬送すれば可搬性に富んだドーム状構造物が実現される。
【００２８】
また、請求項９記載の発明によれば、空気膜Ｍは、皮膜Ｍ１とＭ２間の空気を陰圧又は陽圧に保つことによりドーム形状に保形する二重空気膜構造からなるが、前記のドーム状構造物の骨組みは三角トラスの数を増やしても、コスト面、組み立て手間面、重量面での問題が生じにくく、より球面に近いものが実現可能なので、皮膜Ｍ１とＭ２間に骨組みが挟まれ、内側の皮膜Ｍ２が骨組みの内側に接触してもドームスクリーン面に生じる凹凸は可及的に減少されることなる。
【図面の簡単な説明】
【００２９】
【図１】この発明のドーム状構造物の骨組みの斜視図。
【図２】同上、トラス部材の底面図。
【図３】同上、トラス部材の平面図。
【図４】同上、トラス部材の分解図。
【図５】同上、トラス部材の断面図。
【図６】同上、トラス部材の要部の斜視図。
【図７】同上、赤道部材の平面図。
【図８】同上、赤道部材の底面図。
【図９】同上、赤道部材の分解図。
【図１０】同上、赤道部材の横端面図。
【図１１】同上、赤道部材の横断面図。
【図１２】同上、赤道部材の縦断面図。
【図１３】同上、トラス部材の接合過程を示す斜視図。
【図１４】同上、トラス部材の接合箇所を示す斜視図。
【図１５】同上、トラス部材および赤道部材の接合過程を示す説明図。
【図１６】同上、トラス部材および赤道部材の接合箇所を示す説明図。
【図１７】この発明のドーム状構造物の骨組みの異なる実施例における補助部材の平面図。
【図１８】同上、補助部材の分解図。
【図１９】同上、補助部材の断面図。
【図２０】この発明のドーム状構造物の骨組みの異なる実施例の斜視図。
【図２１】この発明の空気膜を利用したドーム状構造物の一部切り欠き斜視図。
【発明を実施するための形態】
【００３０】
以下、この発明の具体的実施例を添付図面に基づいて説明する。図１はこの発明のドーム状構造物の骨組みの斜視図である。この骨組みは各頂点が球面に内設する多数の三角トラスＴを組み合わせたトラス構造体により構成される。
【００３１】
この種のドームとしては三角トラスＴを正三角形とし、正２０面体で全球を構成したジオデジックドームが公知であるが、この実施例では三角トラスの数を増やすことによりより滑らかな球面を得るようにしている。すなわち、ここでは８０面体で全球を構成している。この場合、三角トラスを正三角形で構成する場合は２０面体止まりとなるので、次の手法を採用している。
(1) 各辺を途中で分割して、小さな面に分けていく（各辺を真ん中で２つに分けるので、元の正三角形１面が小三角形４面に分かれる。）。
(2) 分割点を球面に接する位置まで移動する。
(3) この場合、平面が丸く膨らむように変形するため、面の中心ほど大きく伸び、元の正三角形の中央部に位置する三角トラスＴ（図中で四角で囲った符号Ｌを配した箇所）の方が大きくなる。
よって、この実施例では前記の図中で四角で囲った符号Ｌを配した箇所の三角トラスＴを構成するトラス部材２は他のトラス部材より全長が長くなることとなる。
【００３２】
図２〜５は各三角トラスＴの各辺を構成するトラス部材２を示す図である。このトラス部材２は折り曲げ可能な薄板を少なくとも表面層Ａ、中間層Ｂ、裏面層Ｃの３層に積層した構成よりなる。上記トラス部材２は、長手方向一端において、中間層Ｂより表面層Ａを長手方向に張り出させることにより、上記張り出し部分を折り曲げ可能な接合代Ａ１とするとともに、中間層Ｂより裏面層Ｃを長手方向に後退させることにより、上記後退により生じた段差した面を他のトラス部材の接合代を重ね合せて接合するための接合段差面Ｂ１とする。また、トラス部材２の長手方向他端において、中間層Ｂより表面層Ａを長手方向に後退させることにより、上記後退により生じた段差した面を他のトラス部材の接合代を重ね合せて接合するための接合段差面Ｂ２ととするとともに、中間層Ｂより裏面層Ｃを長手方向に張り出させることにより、上記張り出し部分を折り曲げ可能な接合代Ｃ２とする。なお、図中符号Ｈは、トラス部材２の軽量化を図るために穿設される貫通穴であり、トラス部材の長手方向に沿って複数個配される。
【００３３】
以上のトラス部材２は図１３〜１４に示すように、トラス部材の接合段差面Ｂ１、Ｂ２に他のトラス部材の接合代Ａ１、Ｃ２を重ね合せて接合することにより三角トラスＴを連続させて組み立てていく。なお、図示しないが各部材の接合箇所において、部材同士をネジ止めすることにより接合固定する。図６に図中符号Ｐでこの場合のねじ孔を例示する。
【００３４】
次に、この実施例ではドーム骨組を赤道上で２分割した半球状とするとともに、各三角トラスＴ中の倒立したものの下側の頂点が赤道上に位置するようにトラス構造を設定している。そして、赤道箇所に位置する環状の赤道台座５上に、上記三角トラスＴの一方の斜辺を構成するトラス部材２の接合代Ａ１を重ね合せて接合するための接合段差面Ｄ２と、他方の斜辺を構成するトラス部材の接合段差面Ｂ１に重ね合せて接合するための接合代Ａ１を設けている。
【００３５】
図７〜１２は前記の赤道台座５を構成するための赤道部材６を示す図である。この赤道部材６は弧状のもの同士を接合することにより環状の赤道台座５とするものであり、折り曲げ可能な薄板を少なくとも表面層Ｄ、中間層Ｅ、裏面層Ｆの３層に積層した構成よりなる。上記赤道部材６は長手方向一端において、表面層Ｄおよび中間層Ｅより裏面層Ｆを長手方向に張り出させるとともに、長手方向他端において、表面層Ｄおよび中間層Ｅより裏面層Ｆを長手方向に後退させることにより互いの段差面を隣り合う赤道部材同士の接合時の相欠き部Ｆ１、Ｆ２とする。また、表面層Ｄを中途において分割するとともに、分割箇所において一方の表面層Ｄの先端を中間層Ｅに対し非接着箇所とすることにより、上方に折り曲げ可能な接合代Ｄ１と、接合代の折り曲げ時に生じる接合段差面Ｄ２とする。なお、ここでは図１１〜１２に示すように、接合されるトラス部材２を抱持するために赤道部材６の上方に一対の溝壁８が立設されるとともに、後記する構造物ユニット１１と接合するための折り曲げ可能な取り付け板９が下方に垂設される。
【００３６】
図１５〜１６は以上のトラス部材２と赤道部材６の接合関係を示す説明図である。前記の赤道部材６は相欠き部Ｆ１、Ｆ２により隣同士のものが接合されて環状の赤道台座５を組み立てる。また、接合代Ｄ１を赤道台座５上に接合される三角トラスＴの一方の斜辺を構成するトラス部材２の接合段差面Ｂ１に接合するとともに、接合段差面Ｄ２を他方の斜辺を構成するトラス部材２の接合代Ｄ１に接合することにより、ドーム骨組の本体部分と接合される。なお、図示しないが各部材の接合箇所において、部材同士をネジ止めすることにより接合固定する。
【００３７】
図１７〜２０はこの発明のドーム状構造物の骨組みの異なる実施例を示す図である。この実施例は折り曲げ可能な薄板を各頂点箇所に接合平坦部２１を設けた三角形状に折り曲げて補強部材２０を構成し、上記補強部材２０の各接合平坦部２１を各三角トラスＴに内設して接合している。なお、図中符号２０Ｈは、トラス部材２の軽量化を図るために穿設される貫通穴であり、補強部材の長手方向に沿って複数個配される。
【００３８】
以上の実施例において、各部材の素材となる折り曲げ可能な薄板として段ボールを採用しているが、素材はこれに限られず、例えば厚紙や合成樹脂板であってもよいことはもちろんである。
【００３９】
図２１はこの発明の空気膜を利用したドーム状構造物を示す図である。このドーム状構造物は前記のドーム状構造物の骨組み１と、上記のドーム状構造物の骨組みに支持されることによりエアードームを構成するドーム状の空気膜Ｍと、上記のエアードームを設置面に対し所要高さ持ち上げるとともに、エアードームの下端と設置面との間の開放部を覆う手段からなる。
【００４０】
この実施例では、構造物ユニット１１を複数用意し、これらの構造物ユニット１１をエアードームの下方に円周状に配して接合して環状構造物１０とすることにより、エアードームを設置面に対し所要高さ持ち上げるとともに、エアードームの下端と設置面との間の開放部を覆う手段としている。
【００４１】
また、空気膜Ｍは、皮膜Ｍ１とＭ２間の空気を陰圧又は陽圧に保つことによりドーム形状に保形する、二重空気膜構造からなるエアードームスクリーンとしている。
【符号の説明】
【００４２】
Ｍ        空気膜
Ｔ        三角トラス
１        ドーム状構造物の骨組み
２        トラス部材
５        赤道台座
６        赤道部材
【図１】
2016180203.tif 000003
【図２】
2016180203.tif 000004
【図３】
2016180203.tif 000005
【図４】
2016180203.tif 000006
【図５】
2016180203.tif 000007
【図６】
2016180203.tif 000008
【図７】
2016180203.tif 000009
【図８】
2016180203.tif 000010
【図９】
2016180203.tif 000011
【図１０】
2016180203.tif 000012
【図１１】
2016180203.tif 000013
【図１２】
2016180203.tif 000014
【図１３】
2016180203.tif 000015
【図１４】
2016180203.tif 000016
【図１５】
2016180203.tif 000017
【図１６】
2016180203.tif 000018
【図１７】
2016180203.tif 000019
【図１８】
2016180203.tif 000020
【図１９】
2016180203.tif 000021
【図２０】
2016180203.tif 000022
【図２１】
2016180203.tif 000023